(57)【要約】【課題】構造が簡易であり、先端から第１番目の折畳み線までの間隔を異にする連続帳票も良好に折り畳んでスタックする。【解決手段】相対する一端部３ａ，４ａ間にガイドスリット１２を構成するとともにガイドスリット１２に向かって次第に傾斜して配置された一対のガイドプレート３，４を備える第１のガイド部１０と、ガイドスリット１２に対して連続帳票５０の折畳み線５５の間隔よりも狭い対向間隔を以って開口する嵌合スリット２０を構成する一対の保持ガイド部材６，７とこれら保持ガイド部材６，７に対してそれぞれ所定の間隔を以って側方に位置して配置された一対の規制ガイド部材８，９とがベース５上に設けられてなる第２のガイド部１１とから構成される。【選択図】　図１
2004059303.tif 000002
【特許請求の範囲】
【請求項１】
プリンタから排出される連続帳票を折畳み線に沿ってつづら折りの状態に折り畳んでスタックする連続帳票丁合装置において、
相対する一端部間にガイドスリットを構成するとともに上記ガイドスリットに向かって次第に傾斜して配置された一対のガイドプレートを備え、上記ガイドスリットを介して上記連続帳票の先端部を引き込むとともに上記折畳み線に沿って折り畳まれた後続部位を上記ガイドプレート上に順次積層した状態でスタックする第１のガイド部と、
上記ガイドスリットに対して上記連続帳票の折畳み線の間隔よりも狭い対向間隔を以って開口する嵌合スリットを構成する一対の保持ガイド部材と、これら保持ガイド部材に対してそれぞれ所定の間隔を以って側方に位置して配置された一対の規制ガイド部材とがベース上に設けられてなり、上記第１のガイド部から引き込まれて上記ベースに突き当てられた標準の上記連続帳票の先端部を上記嵌合スリット内に保持することによりこの連続帳票の後続部位が上記第１のガイド部上において上記折畳み線に沿って折り畳まれるようにする第２のガイド部とから構成され、
途中箇所で切断されて先端部と第１の折畳み線との間隔が上記ガイドスリットと上記嵌合スリットとの間隔よりも小さくなり先端部を上記嵌合スリット内に保持されて上記第２のガイド部内において上記第１の折畳み線に沿って折り曲がる上記連続帳票も、折曲端が上記規制ガイド部材のいずれか一方に突き当たることによって後続部位が上記第１のガイド部上において上記折畳み線に沿って折り畳まれてスタックされることを特徴とする連続帳票丁合装置。
【発明の詳細な説明】
【０００１】
【発明の属する技術分野】
本発明は、プリンタから排出される連続帳票を折畳み線に沿って連続してつづら折り状態に折り畳みながら順次積層してスタックする連続帳票丁合装置に関する。
【０００２】
【従来の技術】
ビジネスフォーム等の連続帳票５０は、図５に示すように各帳票領域５１ａ〜５１ｎをそれぞれ切り離し可能とするように長さ方向に対して所定の間隔を以って幅方向のミシン目５２ａ〜５２ｍが形成されるとともに、両側縁に沿って送り用のパーホレーション５３、５３が一定の間隔を以って形成されて構成されている。なお、連続帳票５０には、不要となるパーホレーション５３、５３の形成領域を帳票領域５１から切り離し可能とするために、図示しないが必要に応じて両側縁或いは一方側縁に沿って長さ方向のミシン目も形成される。
【０００３】
連続帳票５０は、一般に２つの帳票領域５１ａ、５１ｂ分を１スタック領域５４とし、その両側のミシン目５２ａ、５２ｃを折畳み線５５ａ〜５５ｋとしてつづら折りの状態に折り畳まれてスタックされ個装箱内に収納されて供給される。連続帳票５０は、個装箱から折り畳んだ状態で直接プリンタの給紙部に供給されて各帳票領域５１ａ〜５１ｎに所定の印刷が行われる。連続帳票５０は、印刷が行われた後に、排出部から連続して排出される。
【０００４】
連続帳票５０は、上述したように各折畳み線５５ａ〜５５ｋを介して折り畳まれた状態でプリンタに連続して供給されるが、プリンタの内部においてプラテンやロールに掛け合わされて走行することによって各折畳み線５５ａ〜５５ｋが伸ばされていわゆる腰の強い状態となる。連続帳票５０は、このためにプリンタから受け台等に排出される際に、自重だけでは折畳み線５５ａ〜５５ｋに沿って再び折り畳まれ難くなり台上でジャム状態を呈してしまうことがあった。
【０００５】
プリンタには、排出した連続帳票５０を上述したジャムの発生を防止して各折畳み線５５ａ〜５５ｋで順序よくつづら折り状態に折り畳みながら順次積層してスタックする連続帳票丁合装置（以下、丁合装置と略称する。）が付設される。丁合装置としては、従来種々の構造のものが提供されているが、基本的な構成として例えば走行路に沿って配置したローラ等の負荷部材により走行する連続帳票５０に対して曲げ応力を負荷することによって、各折畳み線５５ａ〜５５ｋからの折り曲げが促進されるように構成した装置が提供されている。また、丁合装置としては、受け面の略中央部を凸部とし、この凸部による中央部と両側部位との段差を利用して落下した連続帳票５０が各折畳み線５５ａ〜５５ｋからの折り曲げが促進されるように構成した装置も提供されている。
【０００６】
【発明が解決しようとする課題】
ところで、上述した負荷部材を備えた丁合装置は、連続帳票５０の紙質に合わせた負荷調整が面倒であるとともに全体として構造が複雑となり、また負荷部材が印刷面を擦ることによって汚れ等が発生するといった問題があった。凸部を有する受け台は、構造が簡易ではあるが、連続帳票５０が多量に排出されるにしたがって中央部と両側部位との段差が小さくなるために各折畳み線５５ａ〜５５ｋから確実に折り曲げが行われないといった問題があった。
【０００７】
また、連続帳票５０は、所定の印刷が終了すると最後に印刷された帳票領域５１ｊの次のミシン目５２ｊから切り離された後に、さらに次の印刷が連続して行われる。連続帳票５０は、この場合に図５に示すように各折畳み線５５ａ〜５５ｋに相当するミシン目５２からの切り離しが行われるばかりでなく、折畳み線５５ａ〜５５ｋ間に形成されたミシン目５２からの帳票領域５１切り離しも行われる。この場合、連続帳票５０Ａは、図６に示すように先端部５６ａから第１番目の折畳み線５５ｐまでの最初のスタック領域５４ａが、１帳票領域５１分と短くなってしまう。
【０００８】
丁合装置は、先端部からの折畳み位置が異なる連続帳票５０、５０Ａのいずれが用いられる場合であっても、各折畳み線５５ａ〜５５ｋから一定の状態で順序よくつづら折り状態に折り畳みながら順次スタックしていく必要がある。丁合装置には、かかる対応を図るために例えば調整機構等が設けられるが、構造が複雑となりかつ操作が面倒であるといった問題があった。
【０００９】
したがって、本発明は、先端から第１番目の折畳み線までの間隔を異にする連続帳票であってもそれぞれを良好に折り畳んでスタックすることを可能とする構造簡易な丁合装置を提供することを目的に提案されたものである。
【００１０】
【課題を解決するための手段】
この目的を達成する本発明にかかる連続帳票丁合装置は、相対する一端部間にガイドスリットを構成するとともにガイドスリットに向かって次第に傾斜して配置された一対のガイドプレートを備える第１のガイド部と、ガイドスリットに対して連続帳票の折畳み線の間隔よりも狭い対向間隔を以って開口する嵌合スリットを構成する一対の保持ガイド部材及びこれら保持ガイド部材に対してそれぞれ所定の間隔を以って側方に位置して配置された一対の規制ガイド部材とがベース上に設けられてなる第２のガイド部とから構成される。
【００１１】
以上のように構成された本発明にかかる連続帳票丁合装置によれば、折畳み線において切断された標準の連続帳票がプリンタから排出されると、この連続帳票の先端部を第１のガイド部のガイドスリットから第２のガイド部へと引き込んでベースに突き当てるようにする。連続帳票丁合装置によれば、ベースに突き当てられた連続帳票の先端部を保持ガイド部材による嵌合スリット内で保持することにより、この連続帳票の後続部位が自重によって第１のガイド部のガイドプレート上で折畳み線に沿って順次つづら折りの状態で折り畳まれて積層状態にスタックされるようにする。連続帳票丁合装置によれば、途中箇所で切断されて先端部と第１の折畳み線との間隔がガイドスリットと嵌合スリットとの間隔よりも小さい連続帳票も、先端部を嵌合スリット内で保持されて第２のガイド部内において第１の折畳み線に沿って折れ曲がるが、この折曲端が規制ガイド部材に突き当たることにより後続部位が第１のガイド部上において折畳み線に沿って折り畳まれて積層状態にスタックされるようにする。
【００１２】
【発明の実施の形態】
以下、本発明の実施の形態として図面に示した連続帳票丁合装置（以下、丁合装置と略称する。）１について詳細に説明する。丁合装置１は、図１乃至図３に示すように、例えば合成樹脂材や軽量金属材によって形成され、折畳み線５５ａ〜５５ｋに沿ってつづら折りに折り畳まれる連続帳票５０の各スタック領域５４の幅と長さよりもやや大きな形状の内部空間を構成する上面部を開放されたボックス状の筐体２を備える。丁合装置１は、筐体２の開放上面部を閉塞するようにして組み付けられた一対のガイドプレート３、４と、これらガイドプレート３、４と対向するようにして筐体２の内部に配置されたベース５を備える。丁合装置１は、ベース５上に設けられた一対の保持ガイド部材６、７と、これら保持ガイド部材６、７の側方にそれぞれ位置するとともに対向してベース５上に設けられた一対の規制ガイド部材８、９とを備える。
【００１３】
丁合装置１は、ガイドプレート３、４が、詳細を後述するように連続帳票５０の先端部５６を筐体２の内部へと引き込むとともに、この連続帳票５０の折畳み線５５ａ〜５５ｋに沿って順次つづら折りの状態で折り畳まれた後続部位を積層状態でスタックする第１のガイド部１０を構成してなる。丁合装置１は、筐体２の内部に配置されたベース５、保持ガイド片部材６、７及び規制ガイド部材８、９が、詳細を後述するように引き込まれた連続帳票５０の先端部５６を保持するとともに、連続帳票５０の後続部位を折畳み線５５ａ〜５５ｋに沿って折り畳ませる第２のガイド部１１を構成する。
【００１４】
ガイドプレート３、４は、例えば合成樹脂材によって同形に形成された板状の部材であり、相対する一端部３ａ、４ａ間に筐体２の略中央部において幅方向の全域に亘って開口するガイドスリット１２を構成するようにしてそれぞれ筐体２に組み付けられる。ガイドプレート３、４は、基端部から一端部３ａ、４ａ側を次第に内部に向かって傾斜するようにしてそれぞれ筐体２に組み付けられる。ガイドプレート３、４は、標準的なビジネスフォームの連続帳票５０が用いられる場合に、傾斜角度が約７５°程度に設定されて筐体２に組み付けられる。
【００１５】
ガイドプレート３、４は、一端部３ａ、４ａがそれぞれ筐体２の内部に向かって円弧状に湾曲されて形成されることにより、図２に示すように断面形状が漏斗状のガイドスリット１２を構成する。ガイドスリット１２は、連続帳票５０の厚みよりも大きな間隔を有するとともに、連続帳票５０の幅よりも大きな長さを有するスリットとして筐体２の上面部に構成されてなる。ガイドスリット１２は、断面漏斗状の開口形状を有することから、図示しないプリンタから排出されてガイドプレート３、４に突き当たる連続帳票５０の先端部５６を、筐体２の内部へと引き込むようにガイドする。
【００１６】
ガイドプレート３、４は、詳細にはガイドスリット１２の幅を約１０ｍｍ程度に設定する。ガイドプレート３、４は、詳細を後述するベース５に対するガイドスリット１２の高さ位置を、標準的なビジネスフォームの連続帳票５０の各折畳み線５５ａ〜５５ｋを介して折り畳まれるスタック領域５４の間隔に対して充分に小さくなるように設定する。ガイドプレート３、４は、具体的にはベース５に対してガイドスリット１２の下端の高さ位置が１００ｍｍ乃至１６０ｍｍ、平均１４０ｍｍ程度に設定して筐体５に組み付けられる。
【００１７】
ベース５は、昇降機構１３によって昇降自在に支持されて筐体２の内部に配置されている。ベース５は、例えば合成樹脂材や軽量金属板によって筐体２の内部空間よりもやや小さめな外形を有する矩形板状に形成され、四隅の底面部にそれぞれ昇降機構１３を構成する軸受部１４ａ〜１４ｄが設けられている。昇降機構１３は、これら軸受部１４ａ〜１４ｄと、幅方向に相対する軸受部１４ａ、１４ｂ及び軸受部１４ｃ、１４ｄに回転自在に軸支された支軸１５ａ、１５ｂと、これら支軸１５ａ、１５ｂの両端にそれぞれ固定されたピニオン１６ａ、１６ｂ及びピニオン１６ｃ、１６ｄとを備える。
【００１８】
昇降機構１３は、各ピニオン１６ａ〜１６ｄが互いに連動して回転動作するために、長さ方向に相対するピニオン１６ａとピニオン１６ｃ及びピニオン１６ｂとピニオン１６ｄとの間にそれぞれ掛け合わされるタイミングベルト１７ａ、１７ｂを備えている。昇降機構１３は、図１に示すように筐体２から突出された支軸１５ａの一端に設けられた調整ダイヤル１８を備えている。昇降機構１３は、筐体２の四隅に位置してそれぞれ配置された高さ方向のラック１９ａ〜１９ｄを備えており、これらラック１９ａ〜１９ｄに対してベース５に設けた各ピニオン１６ａ〜１６ｄが噛合されている。
【００１９】
丁合装置１は、以上のように構成された昇降機構１３を備えることにより、連続帳票５０のスタック領域５４の長さに応じてベース５の高さ位置の調整が可能となり、標準的な連続帳票５０ばかりでなく図３に示すように長さを異にする特殊な連続帳票にも適用することが可能とされる。昇降機構１３においては、連続帳票５０の長さ仕様に応じて調整ダイヤル１８が回転操作される。
【００２０】
丁合装置１は、調整ダイヤル１８を例えば図１において時計方向に回転操作することにより、支軸１５ａを介してピニオン１６ａが回転駆動される。昇降機構１３においては、ピニオン１６ａの回転がタイミングベルト１７ａ、１７ｂを介して他のピニオン１６ｂ〜１６ｄにそれぞれ伝達される。昇降機構１３においては、各ピニオン１６ａ〜１６ｄがラック１９ａ〜１９ｄと噛合状態にあることから、図３に示すようにベース５の上昇動作が行われる。なお、昇降機構１３は、調整ダイヤル１８を図１において反時計方向に回転操作することにより、ベース５の下降動作が行われる。
【００２１】
昇降機構１３は、上述したように各ピニオン１６ａ〜１６ｄがタイミングベルト１７ａ、１７ｂを介して互いに連動して回転するように構成したことにより、ベース５をスムーズにかつ撓み状態を呈することなく昇降動作させることが可能であり、連続帳票５０の仕様に応じた調整操作が簡易に行われる。なお、昇降機構１３については、上述した構成に限定されるものでは無く、例えばレバー機構とカム機構とによってベース５を昇降動作させる等の種々の機構が採用される。
【００２２】
保持ガイド部材６、７は、例えば合成樹脂材により互いに左右対称形に成形されたベース５の幅方向の長さとほぼ等しい長さを有する部材であり、それぞれ基部６ａ、７ａと、この基部６ａ、７ａの一側縁から一体に立ち上がり形成された立壁部６ｂ、７ｂと、この立壁部６ｂ、７ｂの上端から上方に向かって傾斜した状態で基部６ａ、７ａと対向する方向に一体に折曲形成されたガイド壁部６ｃ、７ｃとからなる。保持ガイド部材６、７は、ガイドスリット１２の延長線上に位置してベース５上に各基部６ａ、７ａが固定される。
【００２３】
保持ガイド部材６、７は、この状態において立壁部６ｂ、７ｂが互いに平行に対峙し、その間にベース５の幅方向にほぼ全域に亘ってガイドスリット１２と対向して開口する嵌合スリット２０を構成する。保持ガイド部材６、７は、詳細を後述するようにガイドスリット１２から筐体２の内部に引き込まれた連続帳票５０の先端部５６を、嵌合スリット２０に嵌合させるとともにベース５に突き当てさせる。保持ガイド部材６、７は、詳細には立壁部６ｂ、７ｂの高さが約４０ｍｍとされるとともに、立壁部６ｂ、７ｂの対向間隔を約８ｍｍに設定してベース５上に固定される。したがって、保持ガイド部材６、７は、ベース５上に、高さが約４０ｍｍで幅が約８ｍｍの嵌合スリット２０を構成する。
【００２４】
保持ガイド部材６、７は、立壁部６ｂ、７ｂに対して約１３５°の折曲角度を以ってガイド壁部６ｃ、７ｃが連設されてなる。ガイド壁部６ｃ、７ｃは、それぞれ約６０ｍｍ程度の長さを有している。保持ガイド部材６、７は、詳細を後述するように途中箇所で切断されて先端部５４ａと第１の折畳み線５５との間隔がガイドスリット１２と嵌合スリット２０との間隔よりも小さくなった連続帳票５０Ａの先端部５６ａを、嵌合スリット２０内に保持した状態で第１番目の折畳み線５５ｐまでの領域をガイド壁部６ｃ、７ｃのいずれか一方に沿って側方へと導いて規制ガイド部材８、９に突き当てさせる。
【００２５】
規制ガイド部材８、９は、例えば合成樹脂材によって成形されたベース５の幅方向の長さとほぼ等しい長さを有するＬ字状を呈する部材であり、それぞれ取付部８ａ、９ａと、この取付部８ａ、９ａから垂直に折曲形成された規制立壁部８ｂ、９ｂとからなる。規制ガイド部材８、９は、取付部８ａ、９ａに、長さ方向に離間して少なくとも一対の取付孔８ｃ、８ｄ及び取付孔９ｃ、９ｄがそれぞれ形成されている。各規制ガイド部材８、９は、各取付孔８ｃ、８ｄ及びに９ｃ、９ｄにねじ込んだ取付ねじ２１、２２によって、保持ガイド部材６、７の側方において平行に対峙してベース５上に固定される。
【００２６】
規制ガイド部材８、９は、途中で切断されて先端部５６ａと第１の折畳み線５５ａとの間隔が小さくなった連続帳票５０Ａの最初の帳票領域５１ａの長さとほぼ等しい間隔を以って保持ガイド部材６、７の側方に配置される。規制ガイド部材８、９は、具体的には保持ガイド部材６、７との間隔が約９０ｍｍに設定されてベース５上に固定される。
【００２７】
規制ガイド部材８、９は、上述した標準位置から保持ガイド部材６、７との間隔を調整されてベース５上に固定することが可能である。すなわち、規制ガイド部材８、９は、各取付孔８ｃ、８ｄ及びに９ｃ、９ｄが、それぞれ取付部８ａ、９ａの幅方向を長軸とした長孔からなり、これら取付孔８ｃ、８ｄ及びに９ｃ、９ｄの長さ範囲で取付位置を調整されて取付ねじ２１、２２によりベース５上に固定される。なお、規制ガイド部材８、９は、ベース５側に長孔を形成して取付位置を調整自在とするようにしてもよい。
【００２８】
以上のように構成された丁合装置１においては、図示しないプリンタから排出された連続帳票５０の先端部５６をガイドプレート３、４上に導く。丁合装置１においては、傾斜されたガイドプレート３、４の主面に沿って連続帳票５０の先端部５６をガイドスリット１２に導き、このガイドスリット１２を介して筐体２の内部の第２のガイド部１１へと引き込むようにする。丁合装置１においては、ガイドスリット１２から引き込まれた連続帳票５０の先端部５６をガイド壁部６ｃ、７ｃの傾斜面に沿って嵌合スリット２０内へと導いてベース５に突き当てさせる。丁合装置１においては、嵌合スリット２０内において、図２に一点鎖線で示すように連続帳票５０の先端部５６を保持する。
【００２９】
丁合装置１においては、上述したようにベース５とガイドスリット１２との間隔が連続帳票５０の各折畳み線５５ａ〜５５ｋの間隔よりも小さく設定されている。丁合装置１においては、嵌合スリット２０内において先端部５６をベース５に突き当てた状態で保持することから、連続帳票５０の後続部位が図２の一点鎖線で図示するように自重とプリンタの排出機構による圧力によって第１のガイド部１０において各折畳み線５５ａ〜５５ｋに沿って順次つづら折りに折り畳まれるようにするとともに、ガイドプレート３、４上に積層状態でスタックする。
【００３０】
丁合装置１においては、先頭のスタック領域５４ａが１帳票分と短くなった連続帳票５０Ａがプリンタから排出されると、上述した標準の連続帳票５０と同様にしてその先端部５６ａをガイドスリット１２から第２のガイド部１１内に引き込んで嵌合スリット２０内において保持する。連続帳票５０Ａは、第１のスタック領域５４ａがその長さをガイドスリット１２とベース５の間隔よりも小さくすることから、図１及び図２の二点鎖線で図示するように第２のガイド部１１内において自重とプリンタの排出機構による圧力によって第１の折畳み線５５ａに沿って折れ曲がる。
【００３１】
丁合装置１においては、第１番目の折畳み線５５ｐに沿って折れ曲がった連続帳票５０Ａの第１のスタック領域５４ａを、保持ガイド部材６又は保持ガイド部材７のガイド壁部６ｃ、７ｃに沿って側方へと導いて規制ガイド部材８又は規制ガイド部材９に突き当てさせる。丁合装置１においては、連続帳票５０Ａを、第１のスタック領域５４ａの後続部位が自重とプリンタの排出機構による圧力によって第１のガイド部１０において各折畳み線５５ａ〜５５ｋに沿って順次つづら折りに折り畳まれるようにするとともに、ガイドプレート３、４上に積層状態でスタックする。
【００３２】
なお、丁合装置１は、標準の連続帳票５０を対象とすることから、第１のガイド部１０及び第２のガイド部１１の構成各部材を上述したように配置したが、連続帳票５０の仕様に応じて各構成部材が適宜に配置される。丁合装置１は、上述したように昇降機構１３を備えて、連続帳票５０の長さ仕様に応じてベース５を高さ方向に調整移動させるとともに規制ガイド部材８、９の取付位置を調整自在に構成してなる。
【００３３】
図４に示した丁合装置３０は、もっぱら標準の連続帳票５０のみを用いる場合において、各部を単純化して構成してなる。丁合装置３０は、基本的な構成を丁合装置１と同様とすることから、対応する部位については同一符号を付すことにより説明を省略する。丁合装置３０は、ベース３１が枠体からなる筐体３２の底面部を構成するようにして組み合わされてなる。丁合装置３０は、ベース３１に対向して筐体３２の上面部にガイドプレート３、４が組み付けられて第１のガイド部１０を構成するとともに、内部に第２のガイド部１１を構成する。
【００３４】
丁合装置３０は、簡易な形状であり、例えば各部を合成樹脂や軽量金属によって形成することで軽量化が図られる。したがって、丁合装置３０は、持ち運びも容易であり、多数台のプリンタが設置された場合でも適宜移動して用いることも可能である。なお、丁合装置３０は、ベース３１が上述したように筐体３２の底板を構成するが、保持ガイド部材６、７及び規制ガイド部材８、９を一体に形成して筐体３２と組み合わせるようにしてもよい。
【００３５】
【発明の効果】
以上詳細に説明したように、本発明にかかる連続帳票丁合装置によれば、相対する一端部間にガイドスリットを構成するとともにガイドスリットに向かって次第に傾斜して配置された一対のガイドプレートを備える第１のガイド部と、ガイドスリットに対して連続帳票の折畳み線の間隔よりも狭い対向間隔を以って開口する嵌合スリットを構成する一対の保持ガイド部材とこれら保持ガイド部材に対してそれぞれ所定の間隔を以って側方に位置して配置された一対の規制ガイド部材とがベース上に設けられてなる第２のガイド部とから構成され、プリンタから排出される連続帳票の先端部を第１のガイド部のガイドスリットから第２のガイド部へと引き込んでベースに突き当てて嵌合スリット内で保持することから、この連続帳票の後続部位を第１のガイド部のガイドプレート上で折畳み線に沿って順次つづら折りの状態で折り畳まれて積層状態にスタックする。連続帳票丁合装置によれば、途中箇所で切断されて先端部と第１の折畳み線との間隔がガイドスリットと嵌合スリットとの間隔よりも小さく先端部を嵌合スリット内で保持されて第２のガイド部内において第１の折畳み線に沿って折れ曲がる連続帳票も、この折曲端が規制ガイド部材に突き当たることにより後続部位が第１のガイド部上において折畳み線に沿って折り畳まれて積層状態にスタックする。連続帳票丁合装置は、連続帳票を折り畳む動力を必要とせず、簡易な構造であるとともに、切断状態にかかわらず確実にスタックすることが可能である。
【図面の簡単な説明】
【図１】本発明の実施の形態として示す連続帳票丁合装置の一部切欠き斜視図である。
【図２】同連続帳票丁合装置の縦断面図である。
【図３】同連続帳票丁合装置について、昇降機構によりベースを上昇させた状態を示す要部縦断面図である。
【図４】他の実施の形態として示す連続帳票丁合装置の連続帳票丁合装置の縦断面図である。
【図５】連続帳票の要部斜視図である。
【図６】先頭のスタック領域が１帳票分と短くなった連続帳票の要部斜視図である。
【符号の説明】
１　丁合装置、２　筐体、３，４　ガイドプレート、５　ベース、６，７　保持ガイド部材、８，９　規制ガイド部材、１０　第１のガイド部、１１　第２のガイド部、１２　ガイドスリット、１３　昇降機構、２０　嵌合スリット、５０連続帳票、５１　帳票領域、５２　ミシン目、５４　スタック領域、５５　折畳み線
【図１】
2004059303.tif 000003
【図２】
2004059303.tif 000004
【図３】
2004059303.tif 000005
【図４】
2004059303.tif 000006
【図５】
2004059303.tif 000007
【図６】
2004059303.tif 000008